(57)【要約】  水素含有水の製造装置が開示される。本発明の一側面によると、内部に第１収容空間を形成するハウジング；前記ハウジングに結合され、第２収容空間を形成するシリンダー；前記ハウジングを貫通して前記第１収容空間と前記第２収容空間を連結する連結通路；前記連結通路を閉鎖するイオン交換膜；前記第１収容空間に配置される陽極と前記第２収容空間に配置される陰極を含む電気分解部；前記ハウジングを貫通して前記第１収容空間と外部空間を連結する排気管；及び前記排気管を閉鎖し、水の排出は抑制するが、ガスの排出は許容する第１防水膜を含む水素含有水の製造装置が提供されることができる。【選択図】  図２
2021517068.tif 000002
【特許請求の範囲】
【請求項１】
内部に第１収容空間を形成するハウジング；
前記ハウジングに結合され、第２収容空間を形成するシリンダー；
前記ハウジングを貫通して前記第１収容空間と前記第２収容空間を連結する連結通路；
前記連結通路を閉鎖するイオン交換膜；
前記第１収容空間に配置される陽極と前記第２収容空間に配置される陰極を含む電気分解部；
前記ハウジングを貫通して前記第１収容空間と外部空間を連結する排気管；及び
前記排気管を閉鎖し、水の排出は抑制するが、ガスの排出は許容する第１防水膜を含む水素含有水の製造装置。
【請求項２】
前記シリンダーを貫通して前記第２収容空間と外部空間を連結する排気口；及び
前記排気口を閉鎖し、水の排出は抑制するが、ガスの排出は許容する第２防水膜をさらに含む、請求項１に記載の水素含有水の製造装置。
【請求項３】
内部に第１収容空間を形成するハウジング；
前記ハウジングに結合され、第２収容空間を形成するシリンダー；
前記ハウジングを貫通して前記第１収容空間と前記第２収容空間を連結する連結通路；
前記連結通路を閉鎖するイオン交換膜；
前記第１収容空間に配置される陽極と前記第２収容空間に配置される陰極を含む電気分解部；
前記シリンダーを貫通して前記第２収容空間と外部空間を連結する排気口；及び
前記排気口を閉鎖し、水の排出は抑制するが、ガスの排出は許容する第２防水膜を含む水素含有水の製造装置。
【請求項４】
前記ハウジングを貫通して前記第１収容空間と外部空間を連結する排気管；及び
前記排気管を閉鎖し、水の排出は抑制するが、ガスの排出は許容する第１防水膜をさらに含む、請求項３に記載の水素含有水の製造装置。
【請求項５】
前記ハウジングを貫通して前記第１収容空間と前記第２収容空間を連結する水注入管；及び
前記水注入管の上端開口部に脱着可能に結合される第２蓋をさらに含み、
前記水注入管の上端は前記イオン交換膜より高く配置され、前記水注入管の上部には前記第１収容空間で発生したガスが捕集されるガス捕集空間が形成される、請求項１または４に記載の水素含有水の製造装置。
【請求項６】
前記排気管は、前記ガス捕集空間まで延長される、請求項５に記載の水素含有水の製造装置。
【請求項７】
前記排気管の上端は、前記イオン交換膜より高く、前記第２蓋の下面より低く配置される、請求項５に記載の水素含有水の製造装置。
【請求項８】
前記排気管に結合され、前記第１防水膜を通して排出されるガスの中でオゾンをろ過するフィルターをさらに含む、請求項１または４に記載の水素含有水の製造装置。
【発明の詳細な説明】
【技術分野】
【０００１】
本発明は、水素含有水（ｈｙｄｒｏｇｅｎ  ｃｏｎｔａｉｎｉｎｇ  ｗａｔｅｒ）の製造装置に関する。
【背景技術】
【０００２】
人の体の調子は人の飲む水と密接な連関性があると知られている。
【０００３】
まず、人の体は金属イオンのバランスを通じて細胞内浸透圧作用を調節するが、このため、人の体に必要な各種ミネラル成分、例えばカルシウム、カリウム、マグネシウムなどは人が飲む水を通じて相当量供給されることができる。
【０００４】
次に、人の体はほとんど酸性で成り立っているから、これを中和するため弱アルカリ性水を飲むのが望ましい。弱アルカリ性水は中和効果以外にも癌を抑制し、抗酸化物質と体内酵素の活動に助けて食べ物分解と消化吸収能力を向上させ、免疫力強化にも役立つことが知られている。
【０００５】
水素含有水は、上述した効果などを表すことだけではなく、２０１１年に日本の福島原発の事故当時に放射能流出による放射能の体内汚染問題が国際的でも深刻な社会問題になった時には、水素含有水が放射能解毒効果も持っていることが明らかになったことで水素含有水に対する国際社会の需要増加が急激に加速化されている。
【０００６】
水素含有水は、体内活性酸素を水に変換して体内に吸収させたり、体外で排出させたりすることができる。具体的に、水素は細胞膜を通過することができるので、細胞の中にある有害な活性酸素と結合することができ、水素と結合された活性酸素は水に変換されることができる。よって、水素含有水は過剰な体内の活性酸素を原因とする癌、糖尿病、脳梗塞などの様々な病気にも優れた効果をもたらすものと明らかになって、さらに脚光を浴びているのが現実である。
【先行技術文献】
【特許文献】
【０００７】
【特許文献１】日本公開特許公報  特開２０１０−２６９２４６号（２０１０．１２．０２、飲料用水素含有水を製造する方法）
【発明の概要】
【発明が解決しようとする課題】
【０００８】
本発明の実施例は、水素含有水の製造空間を最大限に確保することができる水素含有水の製造装置を提供することができる。
【課題を解決するための手段】
【０００９】
本発明の一側面によると、内部に第１収容空間を形成するハウジング；前記ハウジングに結合され、第２収容空間を形成するシリンダー；前記ハウジングを貫通して前記第１収容空間と前記第２収容空間を連結する連結通路；前記連結通路を閉鎖するイオン交換膜；前記第１収容空間に配置される陽極と前記第２収容空間に配置される陰極を含む電気分解部；前記ハウジングを貫通して前記第１収容空間と外部空間を連結する排気管；及び前記排気管を閉鎖し、水の排出は抑制するが、ガスの排出は許容する第１防水膜を含む水素含有水の製造装置が提供されることができる。
【００１０】
前記シリンダーを貫通して前記第２収容空間と外部空間を連結する排気口；及び前記排気口を閉鎖し、水の排出は抑制するが、ガスの排出は許容する第２防水膜をさらに含むことができる。
【００１１】
本発明の他の側面によると、内部に第１収容空間を形成するハウジング；前記ハウジングに結合され、第２収容空間を形成するシリンダー；前記ハウジングを貫通して前記第１収容空間と前記第２収容空間を連結する連結通路；前記連結通路を閉鎖するイオン交換膜；前記第１収容空間に配置される陽極と前記第２収容空間に配置される陰極を含む電気分解部；前記シリンダーを貫通して前記第２収容空間と外部空間を連結する排気口；及び前記排気口を閉鎖し、水の排出は抑制するが、ガスの排出は許容する第２防水膜を含む水素含有水の製造装置が提供されることができる。
【００１２】
前記ハウジングを貫通して前記第１収容空間と外部空間を連結する排気管；及び前記排気管を閉鎖し、水の排出は抑制するが、ガスの排出は許容する第１防水膜をさらに含むことができる。
【００１３】
前記ハウジングを貫通して前記第１収容空間と前記第２収容空間を連結する水注入管；及び前記水注入管の上端開口部に脱着可能に結合される第２蓋をさらに含み、前記水注入管の上端は、前記イオン交換膜より高く配置され、前記水注入管の上部には前記第１収容空間で発生したガスが捕集されるガス捕集空間が形成されることができる。
【００１４】
前記排気管は、前記ガス捕集空間まで延長されることができる。
【００１５】
前記排気管の上端は、前記イオン交換膜より高く、前記第２蓋の下面より低く配置されることができる。
【００１６】
前記排気管に結合され、前記第１防水膜を通して排出されるガスの中でオゾンをろ過するフィルターをさらに含むことができる。
【発明の効果】
【００１７】
本発明の実施例によると、水素含有水が製造される第２収容空間内の構造物設置を最小化して第２収容空間、すなわち水素含有水の製造空間を最大限に確保することができる。
【００１８】
本発明の実施例によると、排気管または排気口に防水膜を設置することで、リリーフバルブのように収容空間の圧力を適正水準で管理することだけではなく、水の排出を抑制ないし遮断することができる。
【００１９】
本発明の一実施例によると、陽極と陰極をイオン交換膜の表面に蒸着または印刷することで、陽極と陰極の間の電気抵抗を低めることができる。その結果、イオン交換膜の熱損傷可能性が低くなるので、第１収容空間に水を充填しなくてもよく、このための構造物を設置する必要がなくなることができる。
【００２０】
本発明の一実施例によると、ガス捕集空間を第１収容空間と第２収容空間の間に形成して、排気管をハウジングの下の壁を貫通し、ガス捕集空間まで延長するように形成することで、第２収容空間内構造物の設置空間を最小限に抑えることができるのみならず、ハウジングの外周面から突き出された部分を取り除き、携帯性を高めてタンブラーなどで活用することもできる。
【図面の簡単な説明】
【００２１】
【図１】は、本発明の一実施例による水素含有水の製造装置を表した断面図である。
【図２】は、本発明の他の実施例による水素含有水の製造装置を表した断面図である。
【図３】は、図２の水素含有水の製造装置が無線充電器によって充電される方式を概略的に表した断面図である。
【発明を実施するための形態】
【００２２】
本出願で用いた用語は、単に特定の実施例を説明するために使われたことで、本発明を限定しようとする意図ではない。単数の表現は、文脈上明らかに別の意味で使わない限り、複数の表現を含む。
【００２３】
本出願で、ある部分がある構成要素を「含む」と記載された時、これは特別に反対される記載がない限り、他の構成要素を除くのではなく他の構成要素を更に含むことができることを意味する。
【００２４】
また、明細書全体で、「上に」と記載されたことは、対象部分の上または下に位置することを意味することであり、必ず重力方向を基準として上側に位置することを意味するのではない。
【００２５】
更に、結合ということは、各構成要素の間の接触関係において、各構成要素の間に物理的に直接接触される場合のみを意味するのではなく、他の構成要素が各構成要素の間に介在されて、その他の構成要素に各構成要素がそれぞれ接触されている場合まで包括する概念で使うことにする。
【００２６】
図面で表された各構成要素の大きさ及び厚さは説明の便宜のために任意に表したため、本発明が必ずしも図示されたところに限定されない。
【００２７】
第１、第２などの用語は、様々な構成要素を説明するのに使われることができるが、構成要素は前記用語によって限定されてはいけない。前記用語は一つの構成要素を他の構成要素から区別する目的だけで使われる。
【００２８】
以下、本発明による水素含有水の製造装置の望ましい実施例を添付図面を参照して詳しく説明し、添付図面を参照して説明することにおいて、同一または対応する構成要素は等しい図面番号を付与してこれに対する重複される説明は省略することにする。
【００２９】
図１は、本発明の一実施例による水素含有水の製造装置を表した断面図である。
【００３０】
図１を参照すれば、本発明の一実施例による水素含有水の製造装置（１０）は、ハウジング（１００）、シリンダー（２００）、イオン交換膜（１１０）、電気分解部（１２０）、排気管（１３０）、第１防水膜（１３１）、排気口（２２０）及び第２防水膜（２２１）を含むことができる。
【００３１】
ハウジング（１００）は、第１収容空間（１０１）が内部に形成される中空の円筒形象に形成されることができる。
【００３２】
ハウジング（１００）の上壁には、上下方向に貫通する連結通路（１０３）が形成されて第１収容空間（１０１）と第２収容空間（２０１）を連結することができる。連結通路（１０３）は、複数に形成されることができ、複数の連結通路（１０３）は、ハウジング（１００）の上下方向の中心軸を基準で等しい距離に配置されることができる。すなわち、複数の連結通路（１０３）を連結すればリング形象を形成することができる。
【００３３】
シリンダー（２００）は、下面が開放され、上面が閉鎖された中空の円筒形象に形成されることができる。
【００３４】
シリンダー（２００）は、ハウジング（１００）の上端に脱着可能に、例えばねじ結合されることができ、ハウジング（１００）の上面に接する第２収容空間（２０１）を形成することができる。
【００３５】
シリンダー（２００）の上壁には、上下方向に貫通する取水口（２０３）が形成されることができ、シリンダー（２００）は上壁にヒンジ軸を通じて回転自在に結合されて取水口（２０３）を開閉する第１蓋（２１０）を含むことができる。
【００３６】
イオン交換膜（１１０）は、水を通過させないが陽イオン、例えば水素イオン（Ｈ＋）を通過させることができる。
【００３７】
イオン交換膜（１１０）は、陽イオン交換膜であることができる。
【００３８】
イオン交換膜（１１０）は、ハウジング（１００）に水平方向に延長されるように結合されて、連結通路（１０３）を閉鎖することができる。その結果、第２収容空間（２０１）に収容された水は第１収容空間（１０１）に移動することができなくなる。
【００３９】
電気分解部（１２０）は、第２収容空間（２０１）に収容された水を電気分解して水素含有水を製造することができる。
【００４０】
電気分解部（１２０）は、陰極（１２１）  及び陽極（１２３）を含むことができる。
【００４１】
陰極（１２１）は、イオン交換膜（１１０）の一面に蒸着または印刷されてイオン交換膜（１１０）を中心に第２収容空間（２０１）側に配置されることができ、陽極（１２３）はイオン交換膜（１１０）の他面に蒸着または印刷されてイオン交換膜（１１０）を中心に第１収容空間（１０１）  側に配置されることができる。陰極（１２１）及び陽極（１２３）は、それぞれイオン交換膜（１１０）の一部を露出させるパターンを形成して陽イオンが通過できる通路または貫通ホールを提供することができる。
【００４２】
陰極（１２１）では、水が電気分解されて水素ガスが生成されることができ、水素ガスは水に溶けて水素含有水が製造されることができる。
【００４３】
排気管（１３０）は、ハウジング（１００）の下壁を上下方向に貫通するように結合され、第１収容空間（１０１）と外部空間を連結することができる。
【００４４】
排気管（１３０）は、第１防水膜（１３１）によって閉鎖されることができる。
【００４５】
第１防水膜（１３１）は、第１収容空間（１０１）から外部空間に水が排出されることを抑制する一方、第１収容空間（１０１）から外部空間にガスが排出されることを許容することができる。その結果、排気管（１３０）は、水素含有水の製造過程で付随的に発生するガスの排出通路を提供することができる。
【００４６】
第１防水膜（１３１）は、第１防水膜（１３１）がリング形象の第１フレームに結合された第１防水モジュールに製作されることができ、第１防水モジュールは、排気管（１３０）に脱着可能に、例えば、ねじ結合されることもできる。
【００４７】
排気口（２２０）は、第１蓋（２１０）を上下方向に貫通するように形成され、第２収容空間（２０１）と外部空間を連結することができる。他の例として、排気口（２２０）は、シリンダー（２００）の側壁または上壁を貫通するように形成されることもできる。
【００４８】
排気口（２２０）は、第２防水膜（２２１）によって閉鎖されることができる。
【００４９】
第２防水膜（２２１）は、第２収容空間（２０１）から外部空間に水が排出されることを抑制する一方、第２収容空間（２０１）から外部空間にガスが排出されることを許容することができる。その結果、排気口（２２０）は、第２収容空間（２０１）の水素ガス圧力が適正水準で維持できるように水素ガスの排出通路を提供することができる。
【００５０】
第２防水膜（２２１）は、第２防水膜（２２１）がリング形象の第２フレームに結合された第２防水モジュールに製作されることができ、第２防水モジュールは排気口（２２０）に脱着可能に、例えばねじ結合されることができる。
【００５１】
第１防水膜（１３１）及び第２防水膜（２２１）は、水の排出は抑制するが、ガスの排出は許容する防水材質の膜を含むことができ、一つの例示としてゴアテックス（登録商標）（Ｇｏｒｅ−ｔｅｘ）を含むことができる。
【００５２】
図２は、本発明の他の実施例による水素含有水の製造装置を表した断面図である。
【００５３】
図２を参照すれば、本発明の他の実施例による水素含有水の製造装置（２０）は、ハウジング（１００）、シリンダー（２００）、イオン交換膜（１１０）、電気分解部（１２０）、排気管（１３０）、第１防水膜（１３１）、排気口（２２０）、第２防水膜（２２１）、水注入管（１４０）、第２蓋（１５０）及びフィルター（１３３）を含むことができる。本発明の一実施例による水素含有水の製造装置（１０）では、第２収容空間（２０１）にだけ水が注入されることもできる一方、本発明の他の実施例による水素含有水の製造装置（２０）では、第１収容空間（１０１）及び第２収容空間（２０１）共に水が注入される点で差がある。
【００５４】
ハウジング（１００）は、第１収容空間（１０１）が内部に形成される中空の円筒形象に形成されることができる。
【００５５】
ハウジング（１００）の上壁には、上下方向に貫通する連結通路（１０３）が形成されて第１収容空間（１０１）と第２収容空間（２０１）を連結することができる。連結通路（１０３）は、複数に形成されることができ、複数の連結通路（１０３）は、ハウジング（１００）の上下方向の中心軸を基準で等しい距離に配置されることができる。すなわち、複数の連結通路（１０３）を連結すればリング形象を形成することができる。
【００５６】
シリンダー（２００）は、下面が開放され、上面が閉鎖された中空の円筒形象に形成されることができる。
【００５７】
シリンダー（２００）は、ハウジング（１００）の上端に脱着可能に、例えば、ねじ結合されることができ、ハウジング（１００）の上面に接する第２収容空間（２０１）を形成することができる。
【００５８】
シリンダー（２００）の上壁には、上下方向に貫通する取水口（２０３）が形成されることができ、シリンダー（２００）は上壁にヒンジ軸を通じて回転自在に結合されて取水口（２０３）を開閉する第１蓋（２１０）を含むことができる。
【００５９】
イオン交換膜（１１０）は、水を通過させないが、陽イオン、例えば水素イオン（Ｈ＋）を通過させることができる。
【００６０】
イオン交換膜（１１０）は、陽イオン交換膜であることができる。
【００６１】
イオン交換膜（１１０）は、ハウジング（１００）に水平方向に延長されるように結合されて連結通路（１０３）を閉鎖することができる。その結果、第１収容空間（１０１）に収容された水は第２収容空間（２０１）に移動することができなく、第２収容空間（２０１）に収容された水は第１収容空間（１０１）に移動することができなくなる。
【００６２】
電気分解部（１２０）は、第１収容空間（１０１）及び第２収容空間（２０１）に収容された水を電気分解して水素含有水を製造することができる。
【００６３】
電気分解部（１２０）は、陰極（１２１）及び陽極（１２３）を含むことができる。
【００６４】
陰極（１２１）は、イオン交換膜（１１０）の一面に蒸着または印刷されてイオン交換膜（１１０）を中心に第２収容空間（２０１）側に配置されることができ、陽極（１２３）は、イオン交換膜（１１０）の他面に蒸着または印刷されてイオン交換膜（１１０）を中心に第１収容空間（１０１）側に配置されることができる。陰極（１２１）及び陽極（１２３）は、それぞれイオン交換膜（１１０）の一部を露出させるパターンを形成し、陽イオンが通過することができる通路または貫通ホールを提供することができる。
【００６５】
陰極（１２１）及び陽極（１２３）での化学反応式は次のようである。
［反応式１］
陰極：  ４Ｈ２Ｏ  ＋  ４ｅ−  →  ２Ｈ２  ＋  ４ＯＨ−
陽極：  ２Ｈ２Ｏ  →  Ｏ２  ＋  ４Ｈ＋  ＋  ４ｅ−
【００６６】
前記反応式１を参照すれば、連結通路（１０３）の第２収容空間（２０１）側では水素（Ｈ２）と水酸化イオン（ＯＨ−）が生成されることができ、連結通路（１０３）の第１収容空間（１０１）側では酸素（Ｏ２）が生成されることができる。第１収容空間（１０１）側で生成された酸素（Ｏ２）中の一部は第１収容空間（１０１）に収容された水と反応して下記反応式２のように、オゾン（Ｏ３）に変換されることができる。
【００６７】
［反応式２］
Ｏ２  ＋  Ｈ２Ｏ  →  Ｏ３  ＋  ２Ｈ＋  ＋  ２ｅ−
前記反応式１及び２を参照すれば、第１収容空間（１０１）側では酸素（Ｏ２）の以外に水素イオン（Ｈ＋）が生成されることができる。このような水素イオン（Ｈ＋）は、イオン交換膜（１１０）を通じて第２収容空間（２０１）側に移動して陰極（１２１）で水素（Ｈ２）に変換されることができる。水素（Ｈ２）は水に対する溶解度が高いから第２収容空間（２０１）に収容された水に溶解されて水素含有水を生成することができ、特に第２収容空間（２０１）には水酸化イオン（ＯＨ−）が一緒に存在するので弱アルカリ性を帯びる水素含有水を生成することができる。これに対して、酸素（Ｏ２）は常温で大部分気体状態で存在するから第１収容空間（１０１）の圧力を上昇させることができる。一方、オゾン（Ｏ３）はそのもので不安定な状態だから大部分水に溶解されて分解されたり、自発的に還元されて酸素（Ｏ２）に変換されることができる。しかし、オゾン（Ｏ３）はごく微量でも特有のにおいによって不快感を誘発するとか人体に有害な影響を及ぼすことができるので、これに対する適切な処理方案が要求される。
【００６８】
排気管（１３０）は、ハウジング（１００）の下壁を上下方向に貫通するように結合されて第１収容空間（１０１）と外部空間を連結することができる。
【００６９】
排気管（１３０）は、第１防水膜（１３１）によって閉鎖されることができる。
【００７０】
第１防水膜（１３１）は、第１収容空間（１０１）から外部空間に水が排出されることを抑制する一方、第１収容空間（１０１）から外部空間にガスが排出されることを許容することができる。その結果、排気管（１３０）は、水素含有水の製造過程で付随的に発生するガスの排出通路を提供することができる。
【００７１】
第１防水膜（１３１）は、第１防水膜（１３１）がリング形象の第１フレームに結合された第１防水モジュールに製作されることができ、第１防水モジュールは排気管（１３０）に脱着可能に、例えばねじ結合されることもできる。
【００７２】
排気口（２２０）は、第１蓋（２１０）を上下方向に貫通するように形成されて第２収容空間（２０１）と外部空間を連結することができる。他の例として、排気口（２２０）は、シリンダー（２００）の側壁または上壁を貫通するように形成されることもできる。
【００７３】
排気口（２２０）は、第２防水膜（２２１）によって閉鎖されることができる。
【００７４】
第２防水膜（２２１）は、第２収容空間（２０１）から外部空間に水が排出されることを抑制する一方、第２収容空間（２０１）から外部空間にガスが排出されることを許容することができる。その結果、排気口（２２０）は、第２収容空間（２０１）の水素ガス圧力が適正水準で維持できるように水素ガスの排出通路を提供することができる。
【００７５】
第２防水膜（２２１）は、第２防水膜（２２１）がリング形象の第２フレームに結合された第２防水モジュールに製作されることができ、第２防水モジュールは排気口（２２０）に脱着可能に、例えばねじ結合されることができる。
【００７６】
第１防水膜（１３１）及び第２防水膜（２２１）は、水の排出は抑制するが、ガスの排出は許容する防水材質の膜を含むことができ、一つの例としてゴアテックス（Ｇｏｒｅ−ｔｅｘ）を含むことができる。
【００７７】
水注入管（１４０）は、ハウジング（１００）の上壁を上下方向に貫通するように結合されて第１収容空間（１０１）と第２収容空間（２０１）を連結することができ、第２蓋（１５０）は、水注入管（１４０）の上端に脱着可能に、例えばねじ結合されて水注入管（１４０）の上端開口部を開閉することができる。これによって、使用者は第２蓋（１５０）を水注入管（１４０）から分離した状態で水注入管（１４０）の上端開口部を通じて第１収容空間（１０１）に水を注入することができる。
【００７８】
水注入管（１４０）の上端は、イオン交換膜（１１０）より高く配置されて水注入管（１４０）の上部に第１収容空間（１０１）で発生したガスが捕集されるガス捕集空間（１０５）が形成されることができる。
【００７９】
ガス捕集空間（１０５）は、水注入管（１４０）の内部空間の中でイオン交換膜（１１０）より高い空間を意味することができる。
【００８０】
排気管（１３０）は、ガス捕集空間（１０５）まで延長されてガス捕集空間（１０５）に捕集されたガスが排気管（１３０）を通じて外部空間に排出されるようにできる。具体的に、排気管（１３０）の上端はイオン交換膜（１１０）より高く、第２蓋（１５０）の下面より低く配置されることができ、水注入管（１４０）に挿入される排気管（１３０）の上部の外径は水注入管（１４０）の内径より小さく形成されることができる。
【００８１】
排気管（１３０）の内部空間にはフィルター（１３３）が挿入されることができる。
【００８２】
排気管（１３０）の上端開口部は、第１防水膜（１３１）によって閉鎖されることができ、フィルター（１３３）は排気管（１３０）の下端開口部を通じて排気管（１３０）の内部空間に挿入されることができる。すなわち、ガス捕集空間（１０５）に捕集されたガスが排気管（１３０）を介して外部空間に排出されるためには、第１防水膜（１３１）とフィルター（１３３）を順に通過しなければならない。フィルター（１３３）は、ガス捕集空間（１０５）から第１防水膜（１３１）を介して排出されるガスの中でオゾンをろ過することができる。フィルター（１３３）は、第１収容空間（１０１）で生成される酸素（Ｏ２）とオゾン（Ｏ３）の中でオゾン（Ｏ３）をろ過して酸素（Ｏ２）を通過させることができる。
【００８３】
図３は、図２の水素含有水の製造装置が無線充電器によって充電される方式を概略的に表した断面図である。
【００８４】
図３を参照すれば、本発明の他の実施例による水素含有水の製造装置（２０）は無線充電器（３００）をさらに含むことができる。
【００８５】
無線充電器（３００）は、ハウジング（１００）が置かれる平らな上面を提供することができ、無線充電器（３００）の内部空間には第１誘導コイル（３１０）が搭載されることができる。第１誘導コイル（３１０）は、リング形象で複数回巻かれた構造からなることができ、無線充電器（３００）の本体の外部に延長される電線（３２０）を介して外部電源（図示せず）に電気的に接続することができる。第１誘導コイル（３１０）に流れる電流の強さを制御部（図示せず）などにより変化させると、電気分解部（１２０）を構成する第２誘導コイル（１２５）に誘導電流が発生することができ、第２誘導コイル（１２５）に発生した誘導電流によって電気分解部（１２０）を構成する充電式バッテリー（１２７）が充電されることができる。充電式バッテリー（１２７）は、ハウジング（１００）の外周面に形成されたオン・オフスイッチ（図示せず）などを介して陰極（１２１）と陽極（１２３）に電気的に接続することができる。第２誘導コイル（１２５）と充電式バッテリー（１２７）は、ハウジング（１２５）の内部空間に搭載されることができ、第２誘導コイル（１２５）は、第１誘導コイル（４１０）と同じくリング形象で複数回巻かれた構造からなることができる。第２誘導コイル（１２５）と充電式バッテリー（１２７）が搭載されるハウジング（１００）の内部空間はハウジング（１００）内の他の空間である第１収容空間（１０１）と分離された空間であることができる。
【００８６】
以上、本発明の望ましい実施例に対して説明したが、該当技術分野で通常の知識を有する者なら特許請求の範囲に記載した本発明の思想から逸脱しない範囲内で、構成要素の付加、変更、削除または追加などによって本発明を多様に修正及び変更することができることを理解し、これも本発明の権利範囲内に含まれるものとして解釈されなければならない。
【符号の説明】
【００８７】
１０、２０：  水素含有水の製造装置
１００：  ハウジング                １０１：  第１収容空間
１０３：  連結通路                  １０５：  ガス捕集空間
１１０：  イオン交換膜              １２０：  電気分解部
１２１：  陰極                      １２３：  陽極
１２５：  第２誘導コイル            １２７：  充電式バッテリー
１３０：  排気管                    １３１：  第１防水膜
１３３：  フィルター                １４０：  水注入管
１５０：  第２蓋                    ２００：  シリンダー
２０１：  第２収容空間              ２０３：  取水口
２１０：  第１蓋                    ２２０：  排気口
２２１：  第２防水膜                ３００：  無線充電器
３１０：  第１誘導コイル            ３２０：  電線
【図１】
2021517068.tif 000003
【図２】
2021517068.tif 000004
【図３】
2021517068.tif 000005
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
内部に第１収容空間を形成するハウジング；
前記ハウジングの上端に脱着可能に結合され、前記ハウジングの上面に接する第２収容空間を形成するシリンダー；
前記ハウジングの上壁を上下方向に貫通して前記第１収容空間と前記第２収容空間を連結する連結通路；
前記連結通路を閉鎖するイオン交換膜；
前記第１収容空間に配置される陽極と前記第２収容空間に配置される陰極を含む電気分解部；
前記ハウジングの下壁を上下方向に貫通して前記第１収容空間と外部空間を連結する排気管；
前記ハウジングの上壁を上下方向に貫通して前記第１収容空間と前記第２収容空間を連結する水注入管；及び
前記水注入管の上端開口部に脱着可能に結合される第２蓋を含み、
前記水注入管の上端は、前記イオン交換膜より高く配置され、前記水注入管の上部には前記第１収容空間で発生したガスが捕集されるガス捕集空間が形成される水素含有水の製造装置。
【請求項２】
前記シリンダーを貫通して前記第２収容空間と外部空間を連結する排気口；及び
前記排気口を閉鎖し、水の排出は抑制するが、ガスの排出は許容する第２防水膜をさらに含む、請求項１に記載の水素含有水の製造装置。
【請求項３】
前記排気管を閉鎖し、水の排出は抑制するが、ガスの排出は許容する第１防水膜をさらに含む、請求項１に記載の水素含有水の製造装置。
【請求項４】
前記排気管は、前記ガス捕集空間まで延長される、請求項３に記載の水素含有水の製造装置。
【請求項５】
前記排気管の上端は、前記イオン交換膜より高く、前記第２蓋の下面より低く配置される、請求項３に記載の水素含有水の製造装置。
【請求項６】
前記排気管に結合され、前記第１防水膜を通して排出されるガスの中でオゾンをろ過するフィルターをさらに含む、請求項３に記載の水素含有水の製造装置。
【国際調査報告】
2021517068.tif 000006
2021517068.tif 000007
2021517068.tif 000008
2021517068.tif 000009